(57)【特許請求の範囲】
【請求項１】
底部及び胴部を有する通水性の袋部と、前記胴部の上部に延設され高含水土砂が投入される開閉自在の開口部が形成された延設部と、前記袋部に内設され前記胴部と二重構造となり前記袋部の目開きよりも大きな２〜５ｍｍの目開きの側面部を有し前記高含水土砂の一部を留める通水性の自立保持部と、前記胴部と前記自立保持部の前記側面部とを縫合又は連結する固着部材と、を備えていることを特徴とする土のう用自立式フレキシブルコンテナ。
【請求項２】
前記自立保持部が、前記袋部の前記底部と二重構造となる底面部を備えていることを特徴とする請求項１に記載の土のう用自立式フレキシブルコンテナ。
【請求項３】
前記自立保持部の前記底面部及び／又は側面部が、金属製又は合成樹脂製で面状，筒状，容器状に形成され、前記底面部の目開きが２〜５ｍｍであることを特徴とする請求項２に記載の土のう用自立式フレキシブルコンテナ。
【請求項４】
前記胴部の下側に取り付けられた複数の補強部を備え、前記補強部で、前記袋部の前記胴部と前記自立保持部の側面部とが固着されていることを特徴とする請求項１乃至３の内いずれか１に記載の土のう用自立式フレキシブルコンテナ。
【請求項５】
前記自立保持部の前記側面部と前記底面部との間に、及び／又は、前記自立保持部の前記側面部間に配設される変形防止部を備えていることを特徴とする請求項２乃至４の内いずれか１に記載の土のう用自立式フレキシブルコンテナ。
【発明の詳細な説明】
【技術分野】
【０００１】
本発明は、含水率の高い土砂等の水分の除去や浄水用濾材等を収容するのに最適な土のう用自立式フレキシブルコンテナに関するものである。
【背景技術】
【０００２】
従来より、大雨等による斜面の崩壊や堤防の決壊，道路冠水等の災害現場、河川工事現場等では、大型のフレキシブルコンテナに真砂土や砕石等を投入して大型土のうを作り、災害現場や工事現場に配置することにより、被害の拡大の防止や止水等の応急措置が行われている。また、大雨等による斜面の崩壊や堤防の決壊，道路冠水等の災害現場では、家屋等に流入した土砂や浸水家財、崩壊した家屋等を搬出する復旧作業が行なわれる。
しかしながら、大水等による災害現場や河川工事現場の土砂は水に浸かり含水率の高い泥状になっているため、含水率の高い泥状の土砂を、従来の通水性に乏しい生地で形成されたフレキシブルコンテナに投入して土のうを製作すると、土砂の水分が抜けないため、土のうが水の入ったゴム風船のようになり、充填した土砂がフレキシブルコンテナ内で流動して、静置中に土のうが傾いて転倒し易いという問題があった。また、土のうを２段，３段と積み上げることができないという問題があった。
そこで、やむを得ず、現場から少し離れた周辺地域で、含水率の低い土砂で土のうを製作しトラックで災害現場等に搬入したり、周辺地域から土砂を搬入し災害現場等で土のうを製作したりすることが行われている。このため、土砂や土のうの運搬に時間がかかり、措置が遅れ、被害が拡大したり復旧作業に大幅な遅れが生じたりするという問題があった。
また、浸水家財、崩壊した家屋等は、通常はダンプトラック等の荷台に載せて被災地から搬出するのだが、泥状の土砂が混ざった状態となっているため、搬送性に著しく欠け、復旧作業が捗らない原因となっていた。
【０００３】
一部では、通水性を向上させたフレキシブルコンテナが開発されている。このような技術としては、（特許文献１）に「平織りの布地で構成され、縦糸又は横糸の少なくとも１本の糸を、長手方向に複数のスプリットが形成され短手幅を収縮させたスプリットヤーンとして、織り間隔を粗密にした通気通水バッグ」が開示されている。
また、（特許文献２）に「可撓性シート部材からなる筒型本体の頂部に液体材料の投入口が形成され底部に排出口及び下蓋が形成されたフレキシブルコンテナであって、可撓性シート部材が通水性のないＥＶＡターポリンで形成され、排出口及び下蓋が通水性シートで形成された液体除去用フレキシブルコンテナ」が開示されている。
【特許文献１】特開２００１−１８０７８７号公報
【特許文献２】特開２００２−１７３１９５号公報
【発明の開示】
【発明が解決しようとする課題】
【０００４】
しかしながら上記従来の技術においては、以下のような課題を有していた。
（１）（特許文献１）に開示の通気通水バッグは、水の浄化を行った使用済み活性炭顆粒を充填して処理場に搬送し、再活性化を行うために開発されたものなので、布地が通水性を有しているが、その反面、布地のこしが無いという問題があった。そのため、災害現場や工事現場等で土のうを製作するために土砂（泥状材）を投入すると、投入された土砂の勢いで布地が変形しバッグが傾いて倒れてしまうため、バッグが倒れないように複数人で支えて土砂等を投入しなければならず、投入作業時に多くの工数が必要となり、また大勢の作業者が支えるバッグに、油圧ショベル等のバケットを用いて土砂等の投入作業を行うのは、作業者の安全性に欠けるという課題を有していた。
（２）また、布地のこしが無いことから、土のうに充填された泥状材の水分が抜けるまでの間は、泥状材がバッグ内で流動し易く、静置した土のうが傾いて転倒し易いという課題を有していた。また、浸水家財、崩壊した家屋等は土砂等で砕かれ、鋭利な角をもつ金属片，木片，ガラス片等が生じているため、浸水家財、崩壊した家屋等を投入すると、金属片，木片，ガラス片等の角で布地が切れて裂け易いという課題を有していた。
（３）（特許文献２）に開示の液体除去用フレキシブルコンテナは、液体を含有する粉体、粒体、細片等を一時的に収納・保管し、水分を減量した後に搬出運搬することを目的としているため、コンテナ内の水分は時間をかけて減量できれば良い。そのため、可撓性シート部材が通水性の無いＥＶＡターポリンで形成されており、充填された泥状材の水分は通水性シートで形成された下蓋からしか抜けないという問題があった。そのため、災害現場や工事現場で高含水の土砂を充填した土のうを製作した場合は、土砂の水分が抜けるまでにかなりの時間を要するという課題を有していた。土のうに充填された土砂の水分が抜けるまでの間は、充填された土砂が流動し易く土のうが傾いて転倒し易いため、一刻も早く土のうを使用したいという災害現場や工事現場の要求に応えることができなかった。
【０００５】
本発明は上記従来の課題を解決するもので、土砂等の収容物を投入する初期段階だけ袋部を支えておけば、袋部に土砂等の収容物を投入することによって袋部が自立した状態を保つことになり、袋部を支える作業者は最小限の人数で済み収容物投入作業の省力性に優れ、収容物の投入後に放置しておけば、収容物の水分が早期に抜けていくので、被災地や河川工事現場の必要な箇所に土のうとして直ちに配置させることができ、さらに収容物によって袋部が裂けたり破れたりするのを防止でき機械的強度が高く耐久性に優れる土のう用自立式フレキシブルコンテナを提供することを目的とする。
【０００６】
上記従来の課題を解決するために本発明の土のう用自立式フレキシブルコンテナは、以下の構成を有している。
本発明の請求項１に記載の土のう用自立式フレキシブルコンテナは、底部及び胴部を有する通水性の袋部と、前記胴部の上部に延設され高含水土砂が投入される開閉自在の開口部が形成された延設部と、前記袋部に内設され前記胴部と二重構造となり前記袋部の目開きよりも大きな２〜５ｍｍの目開きの側面部を有し前記高含水土砂の一部を留める通水性の自立保持部と、前記胴部と前記自立保持部の前記側面部とを縫合又は連結する固着部材と、を備えた構成を有している。
この構成により、以下のような作用が得られる。
（１）袋部の胴部と二重構造となる側面部を有する通水性の自立保持部が袋部に内設されているので、袋部に高含水の土砂や、高含水の土砂の混ざった浸水家財、崩壊した家屋等（以下、収容物という。）を投入することによって、収容物が袋部の底部に広がり、収容物の周囲に自立保持部が立設した状態になるため、収容物が重石の役目を果たし、袋部が自立保持部に支えられて自立した状態を保つ。このため、収容物を投入する初期段階だけ袋部を支えておけば、その後は収容物の量が増えるに従って自立性が高まるため、袋部が倒れないように支える作業者は最小限の人数で済み、収容物の投入作業の省力性に優れるとともに、袋部が開口して自立するため収容物の投入作業性や安全性にも優れる。
（２）袋部に収容物を充填した後も袋部は自立保持部に支持されて自立し、袋部も自立保持部も通水性を有しているので、放置しておけば、収容物の水分が自立保持部及び袋部を通過して早期に抜けていくので、被災地や河川工事現場の必要な箇所に土のうとして直ちに配置させることができる。また、浸水家財、崩壊した家屋等を投入すると水分が早期に抜けていくので、浸水家財、崩壊した家屋等を詰めた自立式フレキシブルコンテナをダンプトラック等の荷台に載せて被災地から搬出することができ、復旧作業を迅速化できる。
（３）袋部に内設され胴部と二重構造となる自立保持部を備えているので、袋部の胴部を補強することができ、高含水の収容物によって胴部の下側が膨らんで胴部が裂けたり、混入した金属片等の角で破れたりするのを防止できる。
（４）自立保持部の側面部が袋部の胴部と固着部材で連結され固着されているので、収容物を投入する際に袋部を開くと、自立保持部の側面部も一緒に開いて直ちに収容物を投入できる状態になるため、緊急時の土のう等として使用性に優れる。
（５）自立保持部の側面部が袋部の胴部と固着部材で固着されているので、収容物を投入したときにできる胴部の下側と自立保持部との隙間を小さくすることができ、袋部から水が抜けるまでの間も胴部の下端側が膨らんで球面状になるのを防止し、袋部を安定に立設させておくことができる。
（６）自立保持部の側面部の目開きが２〜５ｍｍのため、粒径が大きく角張った砂利，小石、混入した木片や金属片等を自立保持部で捕捉することができ、砂利や小石、金属片等の角や重みで袋部が破損したり、鋭利な金属片等が袋部に突き刺さって袋部の外に飛び出したりするのを防止することができる。
【０００７】
ここで、袋部としては、底部及び／又は胴部が網目状の布で形成され、底部自体や胴部自体が通水性を有するものが用いられる。このような布としては、例えば、縦糸や横糸にフラットヤーンやスプリットヤーンを用い、織り間隔を調整しながら織り込んだ布、目ずれが生じないように縦糸と横糸を溶着させた布等を用いることができる。材質としては、ポリプロピレン等の合成樹脂製、麻等の天然繊維製等を用いることができる。目開きは１〜２ｍｍ程度のものが好適に用いられる。投入された収容物の固形分（土砂等）を捕捉し、水を排出するためである。
また、底部や胴部に多数の小さなパンチ穴が穿孔されて通水性を有するものも用いることができる。パンチ穴の孔径は１〜２ｍｍ程度のものが好適に用いられる。上記と同様に、投入された収容物の固形分（土砂等）を捕捉し、水を排出するためである。
なお、袋部の底部は、円形状，方形状等の任意の形状に形成することができる。
【０００８】
また、袋部としては、底部や胴部を構成する布自体は通水性に乏しいが、底部や胴部を縫合するミシン目等の縫い目を収容物に含まれる水分が通過することにより、全体として通水性を有しているものも用いることができる。縫い目の数や大きさを調整することにより、袋部の通水量を調整することができる。
縫い目を構成する糸は、吸水性が乏しいものが好適に用いられる。吸水することによって糸が膨張すると、縫い目が塞がれて通水性が低下するからである。吸水性の小さなポリエステル製，ポリプロピレン製等で形成された糸が好適に用いられる。
また、縫い目は、テープ材や目止め剤でシーリング加工が施されておらず、防水処理が行われていないものが用いられる。
【０００９】
袋部の胴部の複数箇所には、吊り部が溶着若しくは接着又は縫合される。吊り手は、吊り部に金具等で固定する、吊り部に溶着若しくは接着又は縫合する等によって設けることができる。これにより、胴部が吊り部で補強されるので、収容物を入れた袋部を吊り手で吊り上げたときに、胴部がちぎれたり破れたりするのを防止できる。吊り部の材質としては、袋部の材質と同じものを用いることができる。
吊り手は、袋部の底部に架け渡して、底部とも溶着若しくは接着又は縫合するのが好ましい。吊り手の袋部に対する固着強度を高めるためである。
【００１０】
延設部としては、網目状の布で形成され通水性を有するものが好適に用いられるが、通水性の無い合成樹脂製のシート等で形成することもできる。袋部に充填された収容物の脱水は、延設部からはほとんど生じないからである。
【００１１】
自立保持部としては、側面部が合成樹脂製や金属製等で網状に形成されたものが用いられる。網状に形成されたシート材を筒状に形成することによって、自立保持部の側面部を形成することができる。シート材は複数重ねて用いることができる。これにより、通水性を調整したり剛性を高めたりすることができる。シート材としては、土木用途の安定繊維材であるジオテキスタイル（ジオグリッド、ジオネット及びジオテキスタイル関連製品等）を用いることもできる。
【００１２】
また、自立保持部は、側面部の高さ方向に高剛性の棒材やロープ体を複数本配し、棒材やロープ体を線材で横方向に連結して網状に形成したものを用いることもできる。自立保持部の高さ方向に配された棒材やロープ体と、横方向に配された線材との太さや材質を異ならせることにより、未使用時には、棒材やロープ体を折り曲げることなく折り畳んでおくことができ嵩張らずに保管できる。棒材は金属製や合成樹脂製、ロープ体は原糸を合成樹脂製で形成することができる。
棒材やロープ体の直径としては、６〜３０ｍｍが好ましい。自立保持部の高さ方向の剛性を高めるためである。高さ方向の直径が６ｍｍより細くなるにつれ剛性が不足して自立性が不十分となる傾向がみられ、３０ｍｍより太くなるにつれ重量が増えるとともに嵩張って取り扱い性が低下する傾向がみられる。
棒材やロープ体は、自立保持部の側面部の高さ方向と平行に配設してもよいし、複数の棒材やロープ体が交差するように斜めに配設してもよい。
【００１３】
自立保持部は、縫合や結束、溶着や接着等により袋部に複数箇所で予め固着しておくことが望ましいが、袋部と別々に準備し、収容物を投入する際に、現場で袋部に内設し、結束やステープル等で袋部に複数箇所を固着して使用することもできる。自立保持部を袋部と着脱可能に形成することにより、保管性を高めることができる。
【００１４】
自立式フレキシブルコンテナに収容する収容物としては、高含水の土砂、汚泥等の水分を含んだ粉体，粒体，細片、活性炭や木炭，貝殻等の多孔質の浄化材等を用いることができる。水はけの良い自立式フレキシブルコンテナに高含水の土砂や汚泥等を収容することで、収容物から水分を除去することができる。また、自立式フレキシブルコンテナは通水性を有しているため、活性炭や木炭等の浄化材を収容させた後、河川や水路等に配置し、河川や水路等の浄化を行うことができる。また、泥状の土砂が混ざった浸水家財、崩壊した家屋等も収容することができる。
【００１５】
本発明の請求項２に記載の発明は、請求項１に記載の土のう用自立式フレキシブルコンテナであって、前記自立保持部が、前記袋部の前記底部と二重構造となる底面部を備えた構成を有している。
この構成により、請求項１で得られる作用に加え、以下のような作用が得られる。
（１）袋部に内設され底部と二重構造となる自立保持部を備えているので、袋部の底部を補強することができ、収容物を充填した袋部を吊り上げたときに、収容物の重みや混入した金属片等の角で底部が裂けたり破れたりするのを防止でき、耐久性を高めることができる。
【００１６】
ここで、自立保持部の底面部としては、側面部と同様に、合成樹脂製や金属製等の網状で形成されたものが用いられる。土木用途の安定繊維材であるジオテキスタイル（ジオグリッド、ジオネット及びジオテキスタイル関連製品等）、カーボン繊維で複合された合成樹脂製の枠体や網体、パンチングメタルを用いることもできる。
自立保持部の底面部は、側面部に縫合や結束、溶着や接着等により連綴し、或いは側面部と一体に形成することができる。底面部と側面部とを別々に準備し、収容物を投入する際に、現場で連綴することもできる。自立保持部の底面部と側面部とを一体化することにより、自立保持部の機械的強度を高めることができる。
【００１７】
本発明の請求項３に記載の発明は、請求項２に記載の土のう用自立式フレキシブルコンテナであって、前記自立保持部の前記底面部及び／又は側面部が、金属製又は合成樹脂製で面状，筒状，容器状に形成され、前記底面部の目開きが２〜５ｍｍである構成を有している。
この構成により、請求項２で得られる作用に加え、以下のような作用が得られる。
（１）自立保持部の底面部の目開きが２〜５ｍｍのため、粒径が大きく角張った砂利，小石、混入した木片や金属片等を自立保持部で捕捉することができ、砂利や小石、金属片等の角や重みで袋部が破損したり、鋭利な金属片等が袋部に突き刺さって袋部の外に飛び出したりするのを防止することができる。
【００１８】
ここで、自立保持部の底面部や側面部の目開きが２ｍｍより小さくなるにつれ、自立保持部の通水性が低下する傾向がみられ、５ｍｍより大きくなるにつれ、角張った砂利，小石等が自立保持部を通過して袋部に達するため、吊り上げた際に袋部に砂利や混入した金属片等の角が袋部に当たったり突き刺さったりして、袋部が傷付けられて破れ易くなる傾向がみられるため好ましくない。
【００１９】
本発明の請求項４に記載の発明は、請求項１乃至３の内いずれか１に記載の土のう用自立式フレキシブルコンテナであって、前記胴部の下側に取り付けられた複数の補強部を備え、前記補強部で、前記袋部の前記胴部と前記自立保持部の側面部とが固着された構成を有している。
この構成により、請求項１乃至３の内いずれか１で得られる作用に加え、以下のような作用が得られる。
（１）補強部で、自立保持部の側面部が袋部の胴部と固着されているので、収容物を投入する際に袋部を開くと、自立保持部も一緒に開いて直ちに収容物を投入できる状態になるため、使用性に優れる。
（２）自立保持部の中に含水率の高い収容物を投入すると、自立保持部を通過した水が袋部の網目から抜けるまでの間、水や粒径の小さな粘土等が自立保持部と袋部との間に溜まり、特に胴部の下端側に溜まる量が多いため、水が抜けるまでの間は胴部の下端側が膨らんで略球面状になるため、静置したときの安定性に欠け転倒し易くなる。しかし、補強部で自立保持部の側面部が袋部の胴部と固着されているので、収容物を投入したときにできる胴部の下側と自立保持部との隙間を小さくすることができ、水が抜けるまでの間も胴部の下端側が膨らみ難いため、静置したときの安定性に優れ転倒し難くなる。
【００２０】
ここで、補強部としては、袋部の胴部の下部側に溶着若しくは接着又は縫合されたものが用いられる。補強部の材質としては、袋部の材質と同じものを用いることができる。
袋部の胴部と自立保持部の側面部とを固着する手段としては、縫合、溶着、接着、紐等による結束、ステープル等による連結等が用いられる。
【００２１】
本発明の請求項５に記載の発明は、請求項２乃至４の内いずれか１に記載の土のう用自立式フレキシブルコンテナであって、前記自立保持部の前記側面部と前記底面部との間に、及び／又は、前記自立保持部の前記側面部間に配設される変形防止部を備えた構成を有している。
この構成により、請求項２乃至４の内いずれか１で得られる作用に加え、以下のような作用が得られる。
（１）自立保持部の側面部と底面部との間や自立保持部の側面部間に配設される変形防止部を備えているので、変形防止部の引張力により、収容物の投入によって自立保持部が不均等に広がるのを防止し、不均等に変形した自立保持部がバランスを崩して傾いたり転倒したりするのを防止できる。
【００２２】
ここで、変形防止部としては、合成樹脂製や金属製等で棒状や紐状等に形成されたものが用いられる。変形防止部の端部に、自立保持部の側面部や底面部と掛着可能に形成されたフック等の掛具を設け、変形防止部を自立保持部に着脱自在に形成することができる。また、変形防止部の端部を自立保持部に繋縛してもよい。
【００２３】
変形防止部は、自立保持部の側面部と底面部との間や、自立保持部の側面部間に、複数本を対角や対向面に対称状に配設するのが好ましい。変形防止部の引張力が、自立保持部の側面部にバランス良くかかるようにするためである。
変形防止部は、鉛直方向に傾斜させて配設したり、水平に配設したりすることができる。また、土砂等の重量のある収容物を投入して自立保持部の略半分の高さ程まで堆積させた後、収容物の投入を中断し、堆積した収容物の上で側面部間に変形防止部を掛架した後、収容物を再び投入することができる。これにより、配設された変形防止部が投入された収容物によって押さえられて曲がり、側面部が変形防止部に引っ張られて内側に倒れてしまうのを防止できる。また、グラスファイバー入り合成樹脂ペレット、ポリカーボネート製等の合成樹脂フレーク等を収容する場合も、比重が大きいため同様に行うことができる。なお、活性炭や木炭等の浄化材等を収容する場合は、収容物が軽量なので、収容物を投入する前に変形防止部を配設しておくこともできる。
【発明の効果】
【００２４】
以上のように、本発明の土のう用自立式フレキシブルコンテナによれば、以下のような有利な効果が得られる。
請求項１に記載の発明によれば、
（１）袋部に収容物を投入することによって、収容物が袋部の底部に広がり、収容物の周囲に自立保持部が立設した状態になるため、収容物が重石の役目を果たし、袋部が自立保持部に支えられて自立した状態を保つことになり、収容物を投入する初期段階だけ袋部を支えておけば、その後は収容物の量が増えるに従って自立性が高まるため、袋部が倒れないように支える作業者は最小限の人数で済み、収容物投入作業の省力性や安全性に優れた土のう用自立式フレキシブルコンテナを提供できる。
（２）袋部に収容物を充填した後も袋部は自立保持部に支持されて自立し、袋部も自立保持部も通水性を有しているので、放置しておけば、収容物の水分が自立保持部及び袋部を通過して早期に抜けていくので、被災地や河川工事現場の必要な箇所に土のうとして直ちに配置させることができ、また浸水家財、崩壊した家屋等を詰めて被災地から搬出することができ、復旧作業を迅速化できる土のう用自立式フレキシブルコンテナを提供できる。
（３）袋部に内設され胴部と二重構造となる自立保持部を備えているので、袋部の胴部を補強することができ、高含水の収容物によって胴部の下側が膨らんで胴部が裂けたり、混入した金属片等の角で破れたりするのを防止できる機械的強度の高い土のう用自立式フレキシブルコンテナを提供できる。
（４）自立保持部の側面部の目開きが２〜５ｍｍのため、自立保持部で粒径が大きく角張った砂利，小石等を捕捉することができ、砂利や小石等の角や重みで袋部が裂けたり破れたりするのを防止することができる土のう用自立式フレキシブルコンテナを提供できる。
【００２５】
請求項２に記載の発明によれば、請求項１の効果に加え、
（１）袋部に内設され底部と二重構造となる自立保持部を備えているので、袋部の底部を補強することができ、収容物を充填した袋部を吊り上げたときに、収容物の重みで底部が裂けたり破れたりするのを防止できる機械的強度の高い土のう用自立式フレキシブルコンテナを提供できる。
【００２６】
請求項３に記載の発明によれば、請求項２の効果に加え、
（１）自立保持部の底面部の目開きが２〜５ｍｍのため、自立保持部で粒径が大きく角張った砂利，小石等を捕捉することができ、砂利や小石等の角や重みで袋部が裂けたり破れたりするのを防止することができる土のう用自立式フレキシブルコンテナを提供できる。
【００２７】
請求項４に記載の発明によれば、請求項１乃至３の内いずれか１の効果に加え、
（１）自立保持部の側面部が袋部の胴部と固着されているので、収容物を投入する際に袋部を開くと、自立保持部も一緒に開いて直ちに収容物を投入できる状態になるため、使用性に優れた土のう用自立式フレキシブルコンテナを提供できる。
（２）補強部で自立保持部の側面部が袋部の胴部と固着されているので、収容物を投入したときにできる胴部の下側と自立保持部との隙間を小さくすることができ、水が抜けるまでの間も胴部の下端側が膨らみ難いため、静置したときの安定性に優れ転倒し難い土のう用自立式フレキシブルコンテナを提供できる。
【００２８】
請求項５に記載の発明によれば、請求項２乃至４の内いずれか１の効果に加え、
（１）変形防止部の引張力により、収容物の投入によって自立保持部が不均等に広がるのを防止し、不均等に変形した自立保持部がバランスを崩して傾いたり転倒したりするのを防止できる自立安定性に優れた土のう用自立式フレキシブルコンテナを提供できる。
【発明を実施するための最良の形態】
【００２９】
以下、本発明を実施するための最良の形態を、図面を参照しながら説明する。
（実施の形態１）
図１は本発明の実施の形態１における土のう用自立式フレキシブルコンテナの一部破断斜視図であり、図２は実施の形態１における土のう用自立式フレキシブルコンテナの平面図である。
図中、１は実施の形態１における土のう用自立式フレキシブルコンテナ、２はポリプロピレン等の合成樹脂製等の網目状の布で形成された通水性の袋部、３は略円形状に形成された袋部２の底部、４は底部３と一体の筒状に形成された袋部２の胴部、５は胴部４の上部側に溶着若しくは接着又は縫合等によって取り付けられた吊り部、５ａは吊り部５で胴部４と後述する自立保持部１１の側面部１３とを縫合する紐や連結するステープル等の固着部材、６は胴部４の下部側に溶着若しくは接着又は縫合等によって取り付けられた補強部、６ａは補強部６で胴部４と後述する自立保持部１１の側面部１３とを縫合する紐や連結するステープル等の固着部材、７は底部３に十字状に架け渡され胴部４の高さ方向に沿って配設され吊り部５及び補強部６で胴部４及び底部３に縫合されループ状に形成された吊り手、８は胴部４の上部に延設された網目状の布で形成された延設部、９は延設部８に形成された円形状の開口部、１０は延設部８に縫合等によって固着され開口部９を緊締する縛り紐、１１は金属製又は合成樹脂製の線条体で目開き２〜５ｍｍの網状や篭状に形成され袋部２に内設された通水性の自立保持部、１２は袋部２の底部３と二重構造となる略円形状に形成された自立保持部１１の底面部、１３は袋部２の胴部４と二重構造となり底面部１２の外周部に底面部１２と一体化して立設された筒状の自立保持部１１の側面部である。
【００３０】
以上のように構成された本発明の実施の形態１における土のう用自立式フレキシブルコンテナを用いて土のうを製作する場合について、以下その使用方法を説明する。
災害現場や工事現場等に土のう用自立式フレキシブルコンテナ１を搬入し、袋部２の底部３を着地させながら胴部４を広げて開口部９を開口させる。胴部４と自立保持部１１の側面部１３とが固着部材５ａ，６ａで固着されているので、自立保持部１１の側面部１３も筒状に広げられる。
開口部９から高含水の土砂や、高含水の土砂の混ざった浸水家財、崩壊した家屋等（収容物）を投入すると、収容物が自立保持部１１の底面部１２を流動して広がる。投入された収容物は袋部２内に堆積し、堆積した収容物の周囲に自立保持部１１の側面部１３が立設した状態になり、収容物が重石の役目を果たし、袋部２が自立保持部１１に支えられて自立した状態を保つ。自立保持部１１の底面部１２及び側面部１３の目開きよりも粒径の大きな小石や砂利等は自立保持部１１内に留まる。水や粒径の小さな砂等は自立保持部１１を通過して自立保持部１１と袋部２との間に溜まり、袋部２から水が抜けるまでの間、胴部４の下端側が膨らんで球面状になろうとする。しかし、補強部６で自立保持部１１の側面部１３が袋部２の胴部４と固着部材６ａで固着されているので、収容物を投入したときにできる胴部４の下側と自立保持部１１との隙間を小さくすることができ、袋部２から水が抜けるまでの間も胴部４の下端側が膨らんで球面状になるのを防止し、袋部２を安定に立設させておくことができる。
袋部２に収容物を一杯に充填した後、開口部９を縛り紐１０で緊締して閉じ、土のうを製作することができる。
【００３１】
以上のように、本発明の実施の形態１における土のう用自立式フレキシブルコンテナは構成されているので、以下のような作用が得られる。
（１）袋部２の胴部４と二重構造となる側面部１３を有する通水性の自立保持部１１が袋部２に内設されているので、袋部２に収容物を投入することによって、収容物が自立保持部１１の底面部１２に広がり、収容物の周囲に自立保持部１１の側面部１３が立設した状態になるため、収容物が重石の役目を果たし、袋部２が自立保持部１１の側面部１３に支えられて自立した状態を保つ。このため、収容物を投入する初期段階だけ袋部２を支えておけば、その後は収容物の量が増えるに従って袋部２の自立性が高まるため、袋部２が倒れないように支える作業者は最小限の人数で済むため、収容物の投入作業の省力性に優れ、安全性にも優れる。
（２）袋部２に収容物を充填した後も袋部２は自立保持部１１に支持されて自立し、袋部２も自立保持部１１も通水性を有しているので、放置しておけば、収容物の水分が自立保持部１１及び袋部２を通過して早期に抜けていくので、被災地や河川工事現場の必要な箇所に土のうとして直ちに配置させることができる。また、浸水家財、崩壊した家屋等を投入すると水分が早期に抜けていくので、浸水家財、崩壊した家屋等を詰めたフレキシブルコンテナをダンプトラック等の荷台に載せて被災地から搬出することができ、復旧作業を迅速化できる。また、収容物の水分が自立保持部１１及び袋部２を通過して早期に抜けていくので、高含水の収容物の分別撤去作業も行うことができる。
（３）袋部２に内設され胴部４と二重構造となる自立保持部１１を備えているので、袋部２の胴部４を補強して変形を防止することができ、高含水の収容物の自重によって胴部４の下側が膨らんで胴部４が裂けたり、浸水家財や崩壊した家屋等から生じた金属片，木片，ガラス片等の角で破れたりするのを防止できる。
（４）袋部２に内設され底部３と二重構造となる自立保持部１１を備えているので、袋部２の底部３を補強することができ、収容物を充填した袋部２を吊り上げたときに、収容物の重みや、鋭利な金属片，木片，ガラス片等で底部３が裂けたり破れたりするのを防止できる。
（５）自立保持部１１の底面部１２及び側面部１３の目開きが２〜５ｍｍのため、自立保持部１１で粒径が大きく角張った砂利，小石，金属片，木片，ガラス片等を捕捉することができ、砂利や小石等の角や重みで袋部２が裂けたり破れたりするのを防止することができる。
（６）自立保持部１１の側面部１３が袋部２の胴部４と固着部材５ａ，６ａで連結され固着されているので、収容物を投入する際に袋部２を開くと、自立保持部１１の側面部１３も一緒に開いて直ちに収容物を投入できる状態になるため、緊急時の土のう等として使用性に優れる。
（７）固着部材５ａが吊り部５と自立保持部１１の側面部１３とを連結しており、吊り手７が吊り部５に縫合されているので、吊り手７で収容物を充填した袋部２を吊り上げたときに、収容物の荷重を自立保持部１１で受けることができるため、収容物の重みで袋部２が裂けたり破れたりするのを防止できる。また、吊り手７が、袋部２の底部３に十字状に架け渡され胴部４の高さ方向に沿って配設され底部３及び胴部４に縫合されているので、収容物を充填した袋部２を吊り上げたときに、収容物の重みで袋部２が裂けたり破れたりするのを防止できる。
（８）補強部６で自立保持部１１の側面部１３が袋部２の胴部４の下端側と固着部材６ａで連結され固着されているので、収容物を投入したときにできる胴部４の下側と自立保持部１１の側面部１３との隙間を小さくすることができ、水が抜けるまでの間も胴部４の下端側が膨らみ難いため、静置したときの安定性に優れ転倒し難くなる。
【００３２】
ここで、本実施の形態においては、自立保持部１１の底面部１２及び側面部１３が金属製又は合成樹脂製の線条体で目開き２〜５ｍｍの網状や篭状に形成された場合について説明したが、側面部１３の高さ方向に高剛性の棒材やロープ体を複数本配し、棒材やロープ体を線材で横方向に連結して網状や篭状、枠状に形成したものを用いる場合もある。これにより、未使用時には、棒材やロープ体を折り曲げることなく折り畳んでおくことができ嵩張らずに保管できる。また、自立保持部１１は、底面部１２と側面部１３に分割しておく場合もある。別々に保管できるため保管性に優れ、現場で袋部２に内設して簡単に組み立てることができる。また、底面部１２はパンチングメタルで形成する場合もある。
また、吊り部５と補強部６が別々に形成された場合について説明したが、縦長の布地を用いて、吊り部５と補強部６を一体に形成する場合もある。この場合も、吊り部５と一体に形成された補強部６で、自立保持部１１の側面部１３と袋部２の胴部４の下端側とを固着部材６ａで固着することにより、同様の作用が得られる。
また、袋部２が網目状の布で形成されて通水性を有している場合について説明したが、これに限定するものではなく、底部３や胴部４を構成する布自体は通水性に乏しいが、底部３や胴部４を縫合するミシン目等の縫い目を水分が通過することにより、全体として通水性を有している袋部を用いる場合もある。この場合も同様の作用が得られる。
【００３３】
（実施の形態２）
図３は本発明の実施の形態２における土のう用自立式フレキシブルコンテナの自立保持部の斜視図である。
図中、１ａは実施の形態２における土のう用自立式フレキシブルコンテナ、２ａはポリプロピレン等の合成樹脂製等の網目状の布で底面が四角形状に形成された通水性の袋部、１１ａは金属製又は合成樹脂製の目開き２〜５ｍｍの網状や篭状に形成され袋部２ａに内設された通水性の自立保持部、１２ａは四角形状に形成された自立保持部１１ａの底面部、１３ａは底面部１２ａの外周部に立設された筒状の自立保持部１１ａの側面部、１４は金属製や合成樹脂製で棒状や紐状等に形成され自立保持部１１ａの側面部１３ａの対向面に複数本が略水平に対称状に掛架されて配設された変形防止部、１５は変形防止部１４の両端に配設され自立保持部１１ａの側面部１３ａに掛着されたフック等の掛具である。
【００３４】
以上のように構成された本発明の実施の形態２における土のう用自立式フレキシブルコンテナの使用方法は、実施の形態１で説明したものと同様だが、重量のある土砂等の収容物を投入して自立保持部１１ａの略半分の高さ程まで堆積させた後、収容物の投入を中断する。堆積した収容物の上で対向する側面部１３ａ間に変形防止部１４を十字状に掛架した後、収容物を再び投入し、袋部２ａに収容物を一杯に充填する。
【００３５】
以上のように本発明の実施の形態２における土のう用自立式フレキシブルコンテナは構成されているので、実施の形態１に記載した作用に加え、以下のような作用が得られる。
（１）自立保持部１１ａの側面部１３ａ間に配設された変形防止部１４を備えているので、変形防止部１４の引張力により、収容物の投入によって自立保持部１１ａが不均等に広がるのを防止し、不均等に変形した自立保持部１１ａがバランスを崩して傾いたり転倒したりするのを防止できる。
（２）変形防止部１４が、自立保持部１１ａの対向する側面部１３ａ間に複数本を対称状に配設されているので、変形防止部１４の引張力が、自立保持部１１ａの側面部１３ａにバランス良くかかり、収容物の投入によって自立保持部１１ａが不均等に広がるのを防止することができる。
（３）収容物を投入して自立保持部１１ａの略半分の高さ程まで堆積させた後、収容物の投入を中断し、堆積した収容物の上で側面部１３ａ間に変形防止部１４を掛架することにより、変形防止部１４が投入された収容物によって押さえられて曲がり、側面部１３ａが変形防止部１４に引っ張られて内側に倒れてしまうのを防止できる。
【００３６】
ここで、本実施の形態においては、収容物の投入作業中に変形防止部１４を側面部１３ａ間に配設した場合について説明したが、活性炭や木炭等の浄化材等の軽量の収容物を投入する場合は、収容物を投入する前に変形防止部１４を側面部１３ａ間に配設しておくこともできる。収容物が軽量のため、投入された収容物によって変形防止部１４が変形し難いからである。
また、本実施の形態においては、変形防止部１４を側面部１３ａ間に配設した場合について説明したが、変形防止部１４の一端部の掛具１５を、側面部１３ａの下端側近くの底面部１２ａに掛着させる場合もある。この場合も同様の作用が得られる。
また、変形防止部１４の端部に自立保持部１１ａと掛着可能に形成された掛具１５を設けた場合について説明したが、掛具１５を設けずに、変形防止部１４の端部を自立保持部１１ａに繋縛する場合もある。この場合も同様の作用が得られる。
【産業上の利用可能性】
【００３７】
本発明は含水率の含水率の高い土砂等の水分の除去や浄水用濾材等を収容するのに最適な土のう用自立式フレキシブルコンテナに関し、土砂等の収容物を投入する初期段階だけ袋部を支えておけば、袋部に土砂等の収容物を投入することによって袋部が自立した状態を保つことになり、袋部を支える作業者は最小限の人数で済み収容物投入作業の省力性に優れ、収容物の投入後に放置しておけば、収容物の水分が早期に抜けていくので、被災地や河川工事現場の必要な箇所に土のうとして直ちに配置させることができ、さらに収容物によって袋部が裂けたり破れたりするのを防止できる機械的強度の高い土のう用自立式フレキシブルコンテナを提供できる。水害等の被災地に溜まった泥状土砂を使って土のうを製作することができるため、被災地から泥状土砂を除去することができ、泥状土砂を使って被害の拡大防止及び迅速な復旧作業を同時に解決することができる。また、浸水家財、崩壊した家屋等を詰めて、ダンプトラック等の荷台に載せて被災地から搬出することができ、復旧作業を迅速化できる。
【図面の簡単な説明】
【００３８】
【図１】実施の形態１における土のう用自立式フレキシブルコンテナの一部破断斜視図
【図２】実施の形態１における土のう用自立式フレキシブルコンテナの平面図
【図３】実施の形態２における土のう用自立式フレキシブルコンテナの自立保持部の斜視図
【符号の説明】
【００３９】
１，１ａ  土のう用自立式フレキシブルコンテナ
２，２ａ  袋部
３  底部
４  胴部
５  吊り部
５ａ  固着部材
６  補強部
６ａ  固着部材
７  吊り手
８  延設部
９  開口部
１０  縛り紐
１１，１１ａ  自立保持部
１２，１２ａ  底面部
１３，１３ａ  側面部
１４  変形保持部
１５  掛具
【要約】
【課題】本発明は、土砂等の収容物を投入する初期段階だけ袋部を支えておけば、袋部に土砂等の収容物を投入することによって袋部が自立した状態を保つことになり、袋部を支える作業者は最小限の人数で済み収容物投入作業の省力性に優れ、収容物の投入後に放置しておけば、収容物の水分が早期に抜けていくので、被災地や河川工事現場の必要な箇所に土のうとして直ちに配置させることができ、さらに収容物によって袋部が裂けたり破れたりするのを防止できる機械的強度の高い自立式フレキシブルコンテナを提供する。
【解決手段】本発明は、底部３及び胴部４を有する通水性の袋部２と、胴部４の上部に延設され開閉自在の開口部８が形成された延設部７と、袋部２に内設され胴部４と二重構造となる側面部１２を有する通水性の自立保持部１０と、を備える。
【選択図】図１【図１】
0004303774.tif 000002
【図２】
0004303774.tif 000003
【図３】
0004303774.tif 000004